(57)【要約】【課題】ユーザにとってメンテナンス性の向上した可動式水洗装置を得る。【解決手段】  筐体１と一体にシンク２を形成する。筐体１の上部に蛇口３を設け、蛇口３と一体の蛇口スイッチ４を設ける。筐体１内には充電式バッテリ５を収納し、給水容器７内に貯留された水を蛇口３に供給するためのポンプ６への給電を行う。ジョイントボックス９は、蛇口スイッチ４のスイッチ用ケーブル１４を接続するためのスイッチ用ジャック２２と、ポンプ６のポンプ用ケーブル１６を接続するためのポンプ用ジャック２３を有し、これらケーブルを着脱自在に接続し、充電式バッテリ５からの電源供給を行う。【選択図】図１
0003131578.tif 000002
【実用新案登録請求の範囲】
【請求項１】
筐体の上部に、当該筐体と一体に形成されたシンクと、
前記筐体上部に設けられた水栓具と、
前記筐体内に収納され、前記水栓具に供給する水を貯留する給水容器と、
前記筐体内に収納されるバッテリと、
前記給水容器内に位置し、前記バッテリからの電源が供給された場合に、前記給水容器に貯留された水を前記水栓具に供給するポンプと、
オン状態で前記ポンプへの前記バッテリからの電源供給を行う水栓スイッチと、
前記水栓スイッチの接続ケーブルを接続するためのコネクタと、前記ポンプへの電源供給を行うための電源供給ケーブルを接続するためのコネクタとを有し、これらケーブルを着脱自在に接続すると共に、これらケーブルを介して前記バッテリからの前記ポンプ及び水栓スイッチへの電源供給を行うジョイントボックスとを備えた可動式水洗装置。
【請求項２】
水栓スイッチ及びポンプはバッテリに対して直列接続され、
ジョイントボックスは、前記ポンプの電源供給ケーブルのコネクタに並列に接続された表示部と、水栓スイッチの接続ケーブルのコネクタを短絡する短絡スイッチ回路とを備えたことを特徴とする請求項１記載の可動式水洗装置。
【考案の詳細な説明】
【技術分野】
【０００１】  この考案は、任意の場所に移動して手洗いや食器等の水洗を行うことのできる可動式水洗装置に関するものである。
【背景技術】
【０００２】  従来、この種の可動式水洗装置として、水洗装置本体に、シンクと給水用水栓具を有する水洗設置部を設け、水洗装置本体内に給水タンクと排水タンクを収納し、給水タンクに貯留された水を給水用水栓具に供給するためのポンプを備えたものがあった（例えば、特許文献１参照）。【０００３】
【特許文献１】特開２００４−２２９８９５号公報
【考案の開示】
【考案が解決しようとする課題】
【０００４】  上記の特許文献１に記載されたような従来の可動式水洗装置では、供給ポンプの電源コードや給水のオン／オフを行うためのスイッチ等をコネクタを介して着脱自在に接続すると記載されているが、その接続状態はポンプやスイッチのメンテナンス性を考慮したものではなかった。このため、例えば、ポンプや水栓具に不具合が発生した場合でも、可動式水洗装置のユーザが不具合が発生した部品を取り替えるといったことは困難であり、このような場合は、ユーザが販売元や製造元等に修理を依頼したり、装置そのものを販売元や製造元に送るといったことが必要となり、可動式水洗装置としてはメンテナンス性が悪いものであった。【０００５】  この考案は、上記の課題を解決するためのもので、ユーザにとってメンテナンス性の向上した可動式水洗装置を得ることを目的とする。
【課題を解決するための手段】
【０００６】  この考案に係る可動式水洗装置は、筐体の上部に、筐体と一体に形成されたシンクと、筐体上部に設けられた水栓具と、筐体内に収納され、水栓具に供給する水を貯留する給水容器と、筐体内に収納されるバッテリと、給水容器内に位置し、バッテリからの電源が供給された場合に、給水容器に貯留された水を水栓具に供給するポンプと、オン状態でポンプへのバッテリからの電源供給を行う水栓スイッチと、水栓スイッチの接続ケーブルを接続するためのコネクタと、ポンプへの電源供給を行うための電源供給ケーブルを接続するためのコネクタとを有し、これらケーブルを着脱自在に接続すると共に、これらケーブルを介してバッテリからのポンプ及び水栓スイッチへの電源供給を行うジョイントボックスとを備えたものである。【０００７】  また、この考案に係る可動式水洗装置は、水栓スイッチ及びポンプはバッテリに対して直列接続され、ジョイントボックスは、ポンプの電源供給ケーブルのコネクタに並列に接続された表示部と、水栓スイッチの接続ケーブルのコネクタを短絡する短絡スイッチ回路とを備えたものである。
【考案の効果】
【０００８】  この考案の可動式水洗装置は、スイッチ用ケーブルとポンプ用ケーブルとを着脱自在に接続し、バッテリからの給電を行うためのジョイントボックスを設けたので、水栓スイッチやポンプに不具合が発生した場合でも、これらを容易に交換可能であり、ユーザにとってメンテナンス性の向上した可動式水洗装置を得ることができる。【０００９】  また、この考案の可動式水洗装置は、ジョイントボックスに自己診断機能を備えたので、不具合が発生した場合でも容易にその不良箇所を特定することができ、どのようなユーザであっても容易に部品交換等を行うことができる。
【考案を実施するための最良の形態】
【００１０】実施の形態１．
図１は、この考案の可動式水洗装置の構成を示す斜視図である。
また、図２はこの考案の可動式水洗装置の上面図、図３は底面図、図４は、筐体を断面で示す内部構成図である。
これらの図に示すように、可動式水洗装置は、筐体１、シンク２、蛇口（水栓具）３、蛇口スイッチ（水栓スイッチ）４、充電式バッテリ５、ポンプ６、給水容器７、排水容器８、ジョイントボックス９、キャスタ１０ａ，１０ｂを備えている。【００１１】  筐体１およびシンク２は、ＦＲＰ（繊維強化プラスチック）により一体成形され、筐体１内に充電式バッテリ５や給水容器７、排水容器８を収納するよう構成されている。シンク２は筐体１の上部に一体に設けられた受水槽であり、シンク２底部には排水口１１が設けられている。【００１２】  排水口１１は、図２に示すように、排水容器８が筐体１に収納された状態で、その口部８ａのほぼ真上に位置するよう、シンク２の中心に対して偏心した位置に設けられている。また、排水口１１の下側にはねじ部１１ａが形成され、このねじ部１１ａに対して排水ホース１２が着脱自在に取り付けられるようになっている。このような構成により、排水ホース１２として直線状のものを用いることができ、しかも排水口１１から排水容器８まで最小限の長さで済むことになる。このため、従来のように、排水口１１の位置と排水容器８の口部８ａとの位置に水平方向のずれがあったものでは、排水口１１と排水容器８との間に排水ホース１２が曲がった状態で接続されるため、その曲がった部分に排水が残留し易く悪臭の原因になる、といった問題点があったが、このような問題点を解決することができる。しかも、可動式水洗装置としての使用時や排水容器８の出し入れでも排水ホース１２に対して無理な力が加わらないため、排水ホース１２の耐久性向上に寄与することができるという効果が得られる。【００１３】  筐体１におけるシンク２外側の隅部の２箇所には凹部１３が形成され、石けんや消毒液といった手洗いに必要な小物が置けるよう構成されている。また、これら凹部１３のシンク２に接する部分は、凹部１３がシンク２に連通するよう開口部となっている。蛇口３はシンク２外側の隅部に取り付けられており、この蛇口３と、蛇口スイッチ４とが一体の部品として設けられている。蛇口スイッチ４は、ポンプ６の駆動のオン／オフを行うスイッチ機能と蛇口３における水量調節機能とを有しており、スイッチ用ケーブル１４を介してジョイントボックス９に接続されている。また、蛇口３は給水ホース１５によってポンプ６と接続されている。【００１４】  ポンプ６は、給水容器７内に挿入され、ジョイントボックス９及び蛇口スイッチ４を介して充電式バッテリ５からの電源供給が行われた場合に、給水ホース１５を介して給水容器７内に貯留された水を蛇口３に供給するよう構成されている。また、ポンプ６には電源供給のためのポンプ用ケーブル１６が設けられ、このポンプケーブル１６がジョイントボックス９に接続されている。【００１５】  筐体１の側面部にはバッテリ収納部１７とこれを覆うバッテリ収納扉１８が設けられており、このバッテリ収納部１７に充電式バッテリ５が収納されるよう構成されている。充電式バッテリ５は、例えば電源電圧１２Ｖの充電式の電源であり、図５に示すように、電源電圧が正常であるかを視認するためのバッテリチェッカ５ａや充電を行うための充電口５ｂ、及び異常電流が流れた場合にバッテリ本��を保護するためのヒューズ５ｃを備えている。【００１６】  充電式バッテリ５は、図５に示すようにバッテリケーブル１９を介してジョイントボックス９に接続されている。ジョイントボックス９は、バッテリ収納部１７を構成する隔壁の充電式バッテリ５とは反対側の面に着脱自在に取り付けられ、充電式バッテリ５と蛇口スイッチ４とポンプ６とを電気的に接続すると共に自己診断機能を有するものであるが、これについては後述する。【００１７】  給水容器７及び排水容器８は、一般的な２０Ｌ程度の容量を持ったポリ容器が使用可能であり、給水容器７の口部７ａにはポンプ６及び給水ホース１５が挿入され、排水容器８の口部８ａには排水ホース１２が挿入される。また、筐体１の前面側には、筐体１と同様のＦＲＰからなる本体扉２０が設けられており、この本体扉２０を開閉することにより、これら給水容器７及び排水容器８を筐体１内に出し入れできるようになっている。【００１８】  筐体１における本体扉２０の下部は、筐体１の底面より若干立ち上がって形成されている。更に、筐体１の下面のほぼ中央部には図３に示すように円形の開口部２１が形成され、かつ、これを覆う開口蓋（図示省略）が着脱自在に取り付けられている。このような構成により、筐体１の底部にはバスタブ状の空間が形成されるため、移動時等に、給水容器７や排水容器８の口部７ａ，８ａから若干水がこぼれた場合でも、可動式水洗装置の外部に漏れ出すことを防止することができる。【００１９】  キャスタ１０ａ，１０ｂは、図３に示すように、筐体１下面の四隅部に設けられる本体移動用のキャスタであり、キャスタ１０ａはストッパ付き、キャスタ１０ｂはストッパなしのキャスタである。ここで、ストッパ付きのキャスタ１０ａは、使用時に可動式水洗装置が不用意に移動してしまうのを防止するためものである。【００２０】  次に、ジョイントボックス９による蛇口スイッチ４と充電式バッテリ５とポンプ６との接続について説明する。
図５は、接続関係を示す説明図である。
図６は、電気回路図である。
ジョイントボックス９はコネクタとしてスイッチ用ジャック２２とポンプ用ジャック２３とを備え、これらのコネクタを用いて、スイッチ用プラグ２４とポンプ用プラグ２５とを着脱自在に接続する。ここで、スイッチ用プラグ２４は、スイッチ用ケーブル１４を介して蛇口スイッチ４と一体に接続されており、蛇口３、蛇口スイッチ４、スイッチ用ケーブル１４及びスイッチ用プラグ２４は、１セットの部品として構成されている。また、ポンプ用プラグ２５は、ポンプ用ケーブル１６を介してポンプ６と一体に接続され、ポンプ６、ポンプ用ケーブル１６及びポンプ用プラグ２５が１セットの部品として構成されている。尚、蛇口３とポンプ６とは別部品としての給水ホース１５により接続する。【００２１】  ジョイントボックス９にはバッテリケーブル１９が接続され、バッテリケーブル１９にはシガープラグ２６が接続されており、このシガープラグ２６が、充電式バッテリ５側のシガーソケット２７に着脱自在に接続されるよう構成されている。尚、シガープラグ２６内にヒューズを設けるよう構成してもよい。【００２２】  また、ジョイントボックス９には、スイッチ用ジャック２２と並列に、自己診断機能を実現するための短絡スイッチ回路２８を備えている。この短絡スイッチ回路２８は、蛇口スイッチ４をオン状態にした場合と同等の動作を行うための回路であり、自動復帰形のスイッチ２８ａを用いて構成されている。更に、ジョイントボックス９には、ポンプ用ジャック２３と並列に抵抗２９とＬＥＤ３０からなる直列回路が接続されている。抵抗２９は、ＬＥＤ３０への電流制限用抵抗であり、ＬＥＤ３０は自己診断機能を実現するための表示部を構成するものである。【００２３】  このように、本考案の可動式水洗装置では、図６に示す通り、スイッチ部１００、ポンプ部２００、ジョイントボックス部３００、バッテリ部４００が、それぞれ電源供給回路の構成として１セットの部品となっている。そして、充電式バッテリ５に対して、蛇口スイッチ４とポンプ６とがジョイントボックス９を介して直列接続されるよう構成されている。【００２４】  次に、可動式水洗装置の動作について説明する。
先ず、一般的な使用方法について説明する。
給水容器７に所定量の水を入れ、ポンプ６を口部７ａから給水容器７の内部に挿入する。また、排水容器８にはその口部８ａに排水ホース１２を挿入する。ジョイントボックス９のスイッチ用ジャック２２にはスイッチ用プラグ２４を差し込み、ポンプ用ジャック２３にはポンプ用ブラグ２５を差し込む。また、充電式バッテリ５のシガーソケット２７にシガープラグ２６を差し込む。【００２５】  このような状態で、蛇口スイッチ４を操作する（オンする）ことにより、ジョイントボックス９を介して充電式バッテリ５からポンプ６への給電が行われてポンプ６が動作状態となり、給水容器７内の水が蛇口３に供給される。また、蛇口３からの吐水量の調節は蛇口スイッチ４の水量調節機能を用いて行う。【００２６】  次に、何らかの原因で上記の操作を行っても蛇口３から水が出ない場合の不良箇所の特定について説明する。
可動式水洗装置の不具合が発生した場合は、先ず、充電式バッテリ５が正常であるかを判定する。充電式バッテリ５には上述したようにバッテリチェッカ５ａやヒューズ５ｃが設けられているため、電源電圧が正常であり、かつ、ヒューズ５ｃが切れていないかを判定する。充電式バッテリ５の状態が正常であり、かつ、蛇口３より水が出ない場合は、ジョイントボックス９の自己診断機能を用いて次のような操作を行う。【００２７】  図７は、自己診断処理を示すフローチャートである。
先ず、蛇口スイッチ４をオンにして（ステップＳ１）、ジョイントボックス９におけるＬＥＤ３０が点灯するかを判定する（ステップＳ２）。ステップＳ２において、ＬＥＤ３０が点灯した場合はポンプ６が故障であると判断することができる（ステップＳ３）。即ち、この場合はポンプ用ジャック２３には正常に給電されており、ポンプ６以外には不良箇所が考えられないからである。【００２８】  一方、ステップＳ２でＬＥＤ３０が点灯しなかった場合は、短絡スイッチ回路２８をオンにし（ステップＳ４）、正常に動作するかを判定する（ステップＳ５）。ステップＳ４の動作により蛇口３より水が出た場合は、蛇口スイッチ４が故障であると判断することができる（ステップＳ６）。即ち、この場合は、スイッチ用ジャック２２までは正常に給電されており、蛇口スイッチ４以外には故障原因が考えられないからである。【００２９】  また、ステップＳ４，Ｓ５において、短絡スイッチ回路２８をオンにしても水が出なかった場合は、ＬＥＤ３０が点灯しているかを判定し（ステップＳ７）、点灯している場合は蛇口スイッチ４とポンプ６の双方が故障していると判断することができる（ステップＳ８）。即ち、この場合は、ジョイントボックス９のスイッチ用ジャック２２とポンプ用ジャック２３までは正常に給電されると考えられ、かつ、蛇口スイッチ４及びポンプ６のいずれも動作しないからである。一方、ステップＳ７において、ＬＥＤ３０が点灯しなかった場合は、ジョイントボックス９の故障であると判断する（ステップＳ９）。【００３０】  このように、ジョイントボックス９が有する自己診断機能を用いることにより、可動式水洗装置の不具合が発生した場合でも、容易に不良箇所を特定することができる。そして、スイッチ部１００やポンプ部２００は一体の部品として構成されているため、一般のユーザでも、不良箇所として特定した箇所の部品を容易に交換することができる。【００３１】  尚、上記の実施の形態では短絡スイッチ回路２８として、自動復帰形のスイッチ２８ａを用いたが、これ以外に、例えば、スイッチ用ジャック２２を短絡させるための棒状の短絡手段を用い、これをスイッチ用ジャック２２に挿入することで短絡スイッチ回路２８を構成してもよい。【００３２】  また、上記実施の形態では、給排水を給水容器７及び排水容器８を用いて行ったが、外部より給排水が行える場合は、このような外部との給排水を行う可動式水洗装置としても用いることができる。この場合は、底部の開口部２１に取り付けられている開口蓋を外し、この開口部２１より給排水のためのホースを引き入れる。そして、水道水等の給水用ホースを給水ホース１５の代わりに蛇口３に接続し、排水口１１または排水ホース１２を外部への排水用ホースに接続する。このような給排水の配管接続を行った後、蛇口スイッチ４で水量調節を行うことにより、給水容器７及び排水容器８を用いて給排水を行う場合と同様の動作を行うことができる。
【図面の簡単な説明】
【００３３】
【図１】  この考案の実施の形態１による可動式水洗装置を示す斜視図である。
【図２】  この考案の実施の形態１による可動式水洗装置の上面図である。
【図３】  この考案の実施の形態１による可動式水洗装置の底面図である。
【図４】  この考案の実施の形態１による可動式水洗装置の内部構成図である。
【図５】  この考案の実施の形態１による可動式水洗装置の各部品の接続関係を示す説明図である。
【図６】  この考案の実施の形態１による可動式水洗装置の電気回路図である。
【図７】  この考案の実施の形態１による可動式水洗装置の自己診断処理の動作を示すフローチャートである。
【符号の説明】
【００３４】  １  筐体、２  シンク、３  蛇口（水栓具）、４  蛇口スイッチ（水栓スイッチ）、５  充電式バッテリ、６  ポンプ、７  給水容器  ８  排水容器、９  ジョイントボックス、１４  スイッチ用ケーブル、１５  給水ホース、１６  ポンプ用ケーブル、１７  バッテリ収納部、１９  バッテリケーブル、２２  スイッチ用ジャック、２３  ポンプ用ジャック、２４  スイッチ用プラグ、２５  ポンプ用プラグ、２８  短絡スイッチ回路、３０  ＬＥＤ（表示部）、１００  スイッチ部、２００  ポンプ部、３００  ジョイントボックス部、４００  バッテリ部。
【図１】
0003131578.tif 000003
【図２】
0003131578.tif 000004
【図３】
0003131578.tif 000005
【図４】
0003131578.tif 000006
【図５】
0003131578.tif 000007
【図６】
0003131578.tif 000008
【図７】
0003131578.tif 000009